(57)【要約】【課題】綴じ合わせる紙の枚数が多い場合にも対応できる電動ステープラ及びステープラのクリンチ機構を提供する。【解決手段】モータ７５で回転駆動される左右一対の駆動ギア８５ａ，８５ｂにより左右対称の一体構造に形成された揺動アーム７８を揺動させ、打ち込み機構７２及びクリンチ機構７３を駆動する。大きな加圧力を均等にステープルに加えることができるので、枚数の多い紙束にも対応できる。また、クリンチ機構７３は紙束を貫通したステープルの一対の脚部を互いに重なり合わないように折り曲げることができる。【選択図】　図２
2004122247.tif 000002
【特許請求の範囲】
【請求項１】
ハンマの下降動作によりステープルマガジン内に収容したステープル列から１本のステープルを押し出して紙束に打ち込み、紙束を貫通したステープルの一対の脚部を内側に折り曲げて紙束を綴じ合わせるステープラのクリンチ機構において、
前記紙束を貫通したステープルの一対の脚部の方向に溝が形成されるように所定間隔を設けて板面を平行配置した一対のベース板と、この一対のベース板の間に前記所定間隔を均等に２分割して両側に間隙が形成されるように配置された薄板の上端辺にステープラの一対の脚部に対応させて突出形成された一対の突出片が互いに逆方向に所定角度に折り曲げられてそれぞれ両側の間隙を部分的に閉じる傾斜面を形成する仕切板と、所定間隔を２分割した各間隙内に回動可能に配設された一対のクリンチ板と、前記ハンマの下降動作に連動して前記一対のクリンチ板を回動させるクリンチアームと、を具備してなることを特徴とするステープラのクリンチ機構。
【請求項２】
モータを駆動源としてハンマを昇降駆動し、ハンマの下降動作によりステープルマガジン内に収容したステープル列から１本のステープルを押し出して紙束に打ち込み、紙束を貫通したステープルの脚部を折り曲げて紙束を綴じ合わせる電動ステープラにおいて、
互いに対面する左右一対の立壁が形成された支持スタンドと、この支持スタンドの一対の立壁の間に前記ステープルマガジンを支持スタンドの後方側を揺動支点として上方に付勢された状態に保持するマガジンホルダと、支持スタンドの前方側に垂直方向に設定されたステープルの打ち込み線上に配したハンマの昇降構造及び前記ステープルマガジンの下降構造を設けた打ち込み機構と、前記打ち込み線上の下方にクリンチ板を配して紙束を貫通したステープルの脚部をクリンチ板により折り曲げるクリンチ機構と、支持スタンドの一対の立壁それぞれに取り付けられて前記モータにより同期回転駆動される一対の駆動輪と、支持スタンドの一対の立壁にまたがって装着されて左右一対のバネにより下方に付勢された揺動軸を揺動支点として一対の駆動輪により揺動駆動されて前記打ち込み機構を駆動する揺動アームと、一対の駆動輪により揺動駆動されて前記クリンチ機構を駆動するクリンチアームと、を具備してなることを特徴とする電動ステープラ。
【請求項３】
クリンチ機構は、紙束を貫通したステープルの一対の脚部の方向に溝が形成されるように所定間隔を設けて板面を平行配置した一対のベース板と、この一対のベース板の間に前記所定間隔を均等に２分割して両側に間隙が形成されるように配置された薄板の上端辺にステープラの一対の脚部に対応させて突出形成された一対の突出片が互いに逆方向に所定角度に折り曲げられてそれぞれ両側の間隙を部分的に閉じる傾斜面を形成する仕切板と、所定間隔を２分割した各間隙内に回動可能に配設された一対のクリンチ板とを具備してなる請求項２に記載の電動ステープラ。
【発明の詳細な説明】
【０００１】
【発明の属する技術分野】
本発明は、ハンマにより複数枚の紙に打ち込まれて貫通したステープルの一対の脚部を折り曲げて複数枚の紙を綴じ合わせるステープルのクリンチ機構と、このクリンチ機構を用いて電動駆動によりステープルによる綴じ合わせを行う電動ステープラに関するものである。
【０００２】
【従来の技術】
電動ステープラは綴じ合わせる複数枚の紙を挿入するだけで複数枚の紙を自動的にステープルによって綴じることができ、大量の書類を作成する場合や頻繁に書類を作成する場合に、労力や時間を削減して書類作成の効率化を図ることができる。この電動ステープラとして電池を電源とするものが製品化されており、コードレス化ができるものの、電池切れによって使用不可となる問題や、多数枚の紙を綴じるために必要なパワーを得るためには多数の電池を用いるため、大型化や重量増加が避けられない課題があり、商用電力を電源とするものが、より好ましい形態となる。
【０００３】
商用電力を電源とした電動ステープラ従来例として、図１２に示すものが知られている。図示するように、モータ８によってクランクギア２５が回転駆動されることによりクランクロッド２６が揺動駆動され、クランクロッド２６の先端部により昇降駆動されるハンマ３によってステープルホルダ３０に収容されたステープルがカシメ板３２上に載置された紙束に打ち込まれ、紙束を貫通したステープルの先端がカシメ板３２によって折り曲げられることにより、紙束が綴じ合わされるように構成されている（特許文献１参照）。
【０００４】
上記構成におけるカシメ板３２は、紙束を貫通したステープルの一対の脚部を誘導溝で互いに向き合うように折り曲げて紙束を綴じ合わせる。このカシメ板３２によるステープルの折り曲げは、ステープルの脚部を弧状に曲げるので、綴じ合わせた紙束を何通も重ねたとき、綴じ合わせ部分の厚さが他の部位に比して増加する課題があった。また、カシメ板３２によってステープルの脚部を折り曲げる構造は、綴じ合わせる紙の枚数が少ない場合に有効であるが、紙の枚数が多い場合に脚部を折り曲げる確実性に欠ける課題がある。紙の枚数が多い場合にも適用できるようにするには、脚部の長いステープルを用いる必要がある。脚部の長いステープルを用いる場合、紙束を貫通したステープルの脚部を折り曲げたとき、一対の脚部が互いに重ならないようにして、綴じ合わせた紙束を重ねたときの厚さ増加を抑えることが要求される。
【０００５】
このような脚部の長いステープルを用いて紙束を貫通した一対の脚部が重ならないように折り曲げるステープラのクリンチ機構の従来例として、図１３（ａ）に示すような構造が知られている（特許文献２参照）。図１３（ｂ）に示すように、厚さが異なる板材である第１の受け部４３ａと第１の固定壁部材４４ａとの間に形成された折り曲げ溝４５ａ内に第１の可動クリンチャ５３ａが配設され、厚さが異なる板材である第２の受け部４３ｂと第２の固定壁部材４４ｂとの間に形成された折り曲げ溝４５ｂ内に第２の可動クリンチャ５３ｂが配設され、第１及び第２の各受け部４３ａ，４３ｂの中心Ｏと点対称となる位置にステープル５２の両側の脚部５２ａを受ける２つのガイド斜面４８を形成し、綴り時に脚部５２ａをガイド斜面４８によってステープル５２の脚部５２ａを互いに反対側に曲げ、折り曲げ溝４５ａ，４５ｂ内に導入した後に第１及び第２の各可動クリンチャ５３ａ，５３ｂにより脚部５２ａを折り曲げるように構成されている。
【０００６】
【特許文献１】
特開２０００−１５３４７０号公報（第３〜５頁、図２）
【０００７】
【特許文献２】
特開平１０−１１８９５６号公報（第２〜３頁、図１〜図２）
【０００８】
【発明が解決しようとする課題】
ステープラによって多数枚の紙を綴じ合わせるときには、一対の脚部の間隔が広く、脚部の長いステープルを用いる必要があり、そのステープルを多数枚の紙に打ち込むためには大きなパワーを必要とするだけでなく、サイズが大きくなったステープルに均等に打ち込み加圧を加えることが要求される。
【０００９】
上記要件を上記従来技術に係る電動ステープラに適用しようとしても、ハンマに大きな加圧力を加えることができず、ステープラの両脚に均等加圧を加えることは困難である。また、前述したようにサイズの大きなステープルの脚をカシメ板によって折り曲げるのは困難であり、クリンチ機構を適用する必要がある。
【００１０】
しかし、上記従来技術に係るクリンチ機構は、一対の可動クリンチャをそれぞれ収容する折り曲げ溝は、厚さの異なる板材を対面配置することにより形成され、中心に対して同一構成が対称配置された構造であるため、ステープラの脚が圧入される中心部分で変形が発生しやすく、繰り返し使用に対して安定したクランプ動作が維持されない恐れがある。
【００１１】
本発明が目的とするところは、ステープルの一対の脚部を互いに重なり合わないように折り曲げるステープラのクリンチ機構と、このクリンチ機構を用いて多数枚の紙に対してもステープルによる綴じ合わせを可能にする電動ステープラを提供することにある。
【００１２】
【課題を解決するための手段】
上記目的を達成するための本願第１発明は、ハンマの下降動作によりステープルマガジン内に収容したステープル列から１本のステープルを押し出して紙束に打ち込み、紙束を貫通したステープルの一対の脚部を内側に折り曲げて紙束を綴じ合わせるステープラのクリンチ機構において、前記紙束を貫通したステープルの一対の脚部の方向に溝が形成されるように所定間隔を設けて板面を平行配置した一対のベース板と、この一対のベース板の間に前記所定間隔を均等に２分割して両側に間隙が形成されるように配置された薄板の上端辺にステープラの一対の脚部に対応させて突出形成された一対の突出片が互いに逆方向に所定角度に折り曲げられてそれぞれ両側の間隙を部分的に閉じる傾斜面を形成する仕切板と、所定間隔を２分割した各間隙内に回動可能に配設された一対のクリンチ板と、前記ハンマの下降動作に連動して前記一対のクリンチ板を回動させるクリンチアームと、を具備してなることを特徴とする。
【００１３】
上記クリンチ機構によれば、ハンマにより打ち込まれて紙束を貫通したステープルの一対の脚部は仕切板の上端片に向けて挿入され、一対の脚部はそれぞれ傾斜面に形成された一対の突出片により両側の間隙内に案内される。両側の間隙内にはそれぞれ一対のクリンチ板が配設されているので、クリンチアームにより各クリンチ板が回動すると、両側の間隙内に入った各脚部は折り曲げられて紙束が綴じ合わされる。ステープルの一対の脚部は一対の突出片により互いに逆方向に曲げられた状態でクリンチ板によって折り曲げられるので、一対の脚部が重なり合うことがなく、綴じ合わせた紙束がステープルの折り曲げ部分で厚さ増加することなく綴じ合わせがなされる。
【００１４】
また、本願第２発明は、モータを駆動源としてハンマを昇降駆動し、ハンマの下降動作によりステープルマガジン内に収容したステープル列から１本のステープルを押し出して紙束に打ち込み、紙束を貫通したステープルの脚部を折り曲げて紙束を綴じ合わせる電動ステープラにおいて、互いに対面する左右一対の立壁が形成された支持スタンドと、この支持スタンドの一対の立壁の間に前記ステープルマガジンを支持スタンドの後方側を揺動支点として上方に付勢された状態に保持するマガジンホルダと、支持スタンドの前方側に垂直方向に設定されたステープルの打ち込み線上に配したハンマの昇降構造及び前記ステープルマガジンの下降構造を設けた打ち込み機構と、前記打ち込み線上の下方にクリンチ板を配して紙束を貫通したステープルの脚部をクリンチ板により折り曲げるクリンチ機構と、支持スタンドの一対の立壁それぞれに取り付けられて前記モータにより同期回転駆動される一対の駆動輪と、支持スタンドの一対の立壁にまたがって装着されて左右一対のバネにより下方に付勢された揺動軸を揺動支点として一対の駆動輪により揺動駆動されて前記打ち込み機構を駆動する揺動アームと、一対の駆動輪により揺動駆動されて前記クリンチ機構を駆動するクリンチアームと、を具備してなることを特徴とする。
【００１５】
上記電動ステープラによれば、モータによって回転駆動される一対の駆動輪により揺動する一対の揺動アームにより打ち込み機構が駆動されるので、ステープルに対して大きな加圧力を左右均等に加えることができ、枚数の多い紙束に対して一対の脚部が長く、脚部間隔が広いステープルを打ち込むことができる。また、一対の駆動輪はクリンチアームを駆動してクリンチ機構の一対のクリンチ板を回動させるので、打ち込み機構の動作に連動動作して、紙束に打ち込まれて貫通した一対の脚部が長いステープルを確実に折り曲げることができる。
【００１６】
上記構成において、クリンチ機構は、紙束を貫通したステープルの一対の脚部の方向に溝が形成されるように所定間隔を設けて板面を平行配置した一対のベース板と、この一対のベース板の間に前記所定間隔を均等に２分割して両側に間隙が形成されるように配置された薄板の上端辺にステープラの一対の脚部に対応させて突出形成された一対の突出片が互いに逆方向に所定角度に折り曲げられてそれぞれ両側の間隙を部分的に閉じる傾斜面を形成する仕切板と、所定間隔を２分割した各間隙内に回動可能に配設された一対のクリンチ板とを具備して構成することにより、紙束を貫通したステープルの一対の脚部が重なり合わないように折り曲げることができる。
【００１７】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００１８】
図１は、実施形態に係る電動ステープラの全体構成を示すもので、底ケース７０上には電動駆動機構１０１及びその電源装置を構成するトランス１２２などの構成要素が配設され、底ケース７０上は構成要素を覆って上ケース７４により閉じられる。底ケース７０の前方側には綴り台９９が設けられ、綴り台９９上は紙束を挿入できる高さの空間が形成されるように上ケース７４が配設される。前記綴り台９９上から突出して起動スイッチレバー１２４が設けられており、綴り台９９上に綴じ合わせる複数枚の紙である紙束を挿入することにより、前記起動スイッチレバー１２４が紙束によって押されるので、起動スイッチ１２６がＯＮになって電動駆動機構１０１が起動し、後述する打ち込み機構７２により紙束にステープルを打ち込むと共に、紙束を貫通してきたステープルの脚部を後述するクリンチ機構７３により折り曲げて紙束を綴じ合わせて自動停止する。従って、綴じ合わせる紙束を綴り台９９上に挿入するだけでステープルによる綴じ合わせが実施できる。尚、ステープルによる紙束の綴じ位置は、底ケース７０の側面に設けられた綴り位置設定ノブ１２５により起動スイッチレバー１２４の前後位置を変更して調節することができる。
【００１９】
前記電動駆動機構１０１は、図２、図３、図４に各動作状態として示すように、前記底ケース７０に固定された支持スタンド７１上に構成される。支持スタンド７１は、図２（ａ）に示すように、底ケース７０から垂直に立ち上がる垂直壁面が形成された第１及び第２の各スタンド７１ａ，７１ｂを備えて構成されている。この第１スタンド７１ａと第２スタンド７１ｂとの間には、図５に示すように、複数のステープルを収容するステープルマガジン１１４を挿脱可能に保持するマガジンホルダ１１５が後端部側に設けられた揺動支持軸７７を揺動支点として揺動可能で、上方に図示しないバネにより付勢された状態に配設される。また、支持スタンド７１の前端部側にはステープルを紙束に打ち込む打ち込み機構７２が構成され、その下方には紙束を貫通したステープルの脚部を折り曲げるクリンチ機構７３が構成されている。これら打ち込み機構７２及びクリンチ機構７３は、モータ７５及びその回転を伝達するギア列によって駆動される。
【００２０】
前記モータ７５は第１スタンド７１ａに取り付けられ、モータ７５の回転軸に固定されたモータギア８１に噛合して回転駆動される伝動ギア８２は第１連動ギア８３ａを回転させる。第１連動ギア８３ａは、第１スタンド７１ａ及び第２スタンド７１ｂに軸支された回転軸８４の第１スタンド７１ａ側に固定されているので、第１連動ギア８３ａが伝動ギア８２によって回転駆動されることにより回転軸８４の第２スタンド７１ｂ側に固定された第２連動ギア８３ｂは連動して回転駆動される。第１連動ギア８３ａ及び第２連動ギア８３ｂはそれぞれ第１スタンド７１ａ側、第２スタンド７１ｂ側において第１駆動ギア８５ａ，第２駆動ギア８５ｂにそれぞれ噛合して回転駆動する。尚、伝動ギア８２、第１及び第２の各連動ギア８３ａ，８３ｂは、大径歯車部と小径歯車部とを一体に形成した二重歯車として、所定の減速比が得られるように構成されている。
【００２１】
前記第１及び第２の各駆動ギア８５ａ，８５ｂは、図６（ａ）に示すように、外面側に駆動ピン８０が取り付けられ、図６（ｃ）に示すように、内面側にカム溝８６及びスイッチ駆動凸部９８が形成されており、回転駆動されることにより、前記打ち込み機構７２及びクリンチ機構７３を駆動する。前記駆動ピン８０は打ち込み機構７２を駆動する揺動アーム７８に形成された屈曲穴８７内に嵌め合わされる。前記揺動アーム７８及びクリンチアーム７９は、第１及び第２の各駆動ギア８５ａ，８５ｂによって両側から同期して駆動できるように左右対称の一体構造に形成されている。また、前記カム溝８６にはクリンチ機構７３を駆動するクリンチアーム７９（図７参照）の先端に設けられたコロ９６が嵌め合わされる。カム溝８６は、中心からの半径が異なる円周上に形成された溝が連続するように形成されているので、第１及び第２の各駆動ギア８５ａ，８５ｂが回転することにより、カム溝８６にコロ９６を嵌め合わせたクリンチアーム７９は揺動駆動される。
【００２２】
前記揺動アーム７８は、第１スタンド７１ａ及び第２スタンド７１ｂの上端辺を切り欠いた切欠凹部内に嵌め込まれ、一対の打ち込みバネ９１で下方に向けて付勢された支持軸８８を揺動支点として、左右それぞれの屈曲穴８７内に駆動ピン８０が嵌入する第１及び第２の駆動ギア８５ａ，８５ｂが１回転することにより、図２に示す状態から図３に示す状態を経て、図４に示す打ち込み状態となり、更なる駆動ギア８５ａ，８５ｂの回転により図２に示す状態に戻る。揺動アーム７８の左右先端側に形成された長穴８９には昇降駆動軸９０の両端が嵌め込まれ、揺動アーム７８が揺動運動することにより昇降動作する左右先端側によって昇降駆動軸９０は昇降移動し、ステープルを紙束に打ち込むハンマ７６を昇降動作させると共に、上方に付勢されているマガジンホルダを下降駆動する。
【００２３】
また、前記クリンチアーム７９は、図７に示すように構成されており、第１及び第２の各スタンド７１ａ，７１ｂに支持されたクリンチ軸９２の両端が嵌め込まれる軸穴９３を揺動軸として揺動し、先端の押圧片９４が上下移動することにより後述するクリンチャ１００を作動させる。クリンチアーム７９の揺動は、一対の延出板９７ａ，９７ｂそれぞれの先端に取り付けられたコロ９６が第１及び第２の各駆動ギア８５ａ，８５ｂそれぞれのカム溝８６に嵌まり込み、第１及び第２の各駆動ギア８５ａ，８５ｂが回転することによりなされる。
【００２４】
前記クリンチャ１００は、図８に示すように、クリンチャベース１０５、１０６の対向間に形成される所定間隔内に回動可能に配設された一対の可動クリンチ板１０３ａ、１０３ｂが前記クリンチアーム７９の押圧片９４によって回動駆動されることにより、紙束を貫通したステープルの脚部を折り曲げる作用をなすもので、クリンチャベース１０５、１０６を第１スタンド７１ａ及び第２スタンド７１ｂにそれぞれ延出形成された支持腕１０２ａ，１０２ｂに取り付けることにより、打ち込み機構７２の下方に位置決め配置される。
【００２５】
前記可動クリンチ板１０３ａ、１０３ｂは、それらの間に図１０（ａ）に示すような金属薄板からなる仕切板１０７を介在させ、その両側に平行配置される。図９はクリンチャ１００の各構成要素を分解して示すもので、前記仕切板１０７には一対の傾斜形成片（突出片）１０４ａ，１０４ｂが突出形成され、図１０（ｂ）に示すように、傾斜形成片１０４ａはクリンチャベース１０６側に略４５度に折り曲げられ、傾斜形成片１０４ｂはクリンチャベース１０５側に略４５度に折り曲げられている。傾斜形成片１０４ａと傾斜形成片１０４ｂとの間の中心間距離は、ステープルの一対の脚部間隔に対応するように形成されている。
【００２６】
図９において、クリンチャベース１０５に形成された取付穴に可動軸１０８ａ，１０８ｂの一端を嵌め込み、この可動軸１０８ａ，１０８ｂに、可動クリンチ板１０３ａ、仕切板１０７、可動クリンチ板１０３ｂの順に、それぞれに形成された穴を嵌め合わせ、最後にクリンチャベース１０６に形成された取付穴に可動軸１０８ａ，１０８ｂの他端を嵌め込み、クリンチャベース１０５、１０６それぞれの側から対面する相手側のネジ穴にネジ１０９ａ，１０９ｂを螺入することにより、各構成要素は図８に示すようにクリンチャ１００に組み立てられる。クリンチャ１００として組み立てられたとき、前記仕切板１０７の各傾斜形成片１０４ａ，１０４ｂは、図８（ａ）に示すように、傾斜形成片１０４ａの先端はクリンチャベース１０６に形成された切欠部１１０ａ上に載り、傾斜形成片１０４ｂの先端はクリンチャベース１０５に形成された切欠部１１０ｂ上に載るようになる。
【００２７】
上記構成になるクリンチャ１００は、打ち込み機構７２に設けられた板状のハンマの直下に仕切板１０７が位置するように位置決め配置されるので、打ち込み機構７２が駆動されてハンマにより紙束に打ち込まれたステープラの一対の脚は、紙束を貫通して仕切板１０７の傾斜形成片１０４ａ，１０４ｂ上に打ち込まれてくる。傾斜形成片１０４ａ，１０４ｂはそれぞれ異なる方向に傾斜面を形成しているので、傾斜形成面１０４ａに打ち込まれたステープラの一方の脚は、傾斜形成片１０４ａの傾斜面を滑って可動クリンチ板１０３ａ上に曲げられ、傾斜形成片１０４ｂに打ち込まれたステープラの他方の脚は、傾斜形成片１０４ｂの傾斜面を滑って可動クリンチ板１０３ｂ上に曲げられる。このステープラの打ち込み状態でクリンチアーム７９により可動クリンチ板１０３ａ，１０３ｂを回動させると、図１１に示すように、ステープル１１３の一対の脚部１１３ａ，１１３ｂは仕切板１０７の両側で折り曲げられるので、折り曲げられた一対の脚が重なり合うことがない。
【００２８】
上記構成になる電動駆動機構１０１のモータ７５に電力供給すると共に、電動駆動を制御するための電力は商用電力（ＡＣ電力）を使用する。電気回路構成の説明は概要に止めるが、ＡＣコード１２１を通じて供給される商用電力は、トランス１２２によって所定電圧に降圧され、制御回路基板１２３上に構成された整流回路によりＤＣ変換され、モータ７５及び制御回路のＤＣ電源が構成されている。制御回路は所要可動部分に設けられたスイッチのＯＮ／ＯＦＦ入力に基づいてモータ７５を制御すると共に、ステープルの噛み込みなどの異常状態を検出する。
【００２９】
図１に示すように、クリンチャ１００上に開口部が形成された綴り台９９上に紙束を挿入して起動スイッチレバー１２４を押し込むことにより、起動スイッチ１２６がＯＮ作動し、その情報は制御回路基板１２３に入力されるので、制御回路によってモータ７５が起動され、第１及び第２の各駆動ギア８５ａ，８５ｂが図２に示す角度位置から回転し、駆動ピン８０によって揺動アーム７８が図３に示す揺動角度になったとき、揺動アーム７８の先端に形成された長穴８９に嵌め合わされた昇降駆動軸９０が両側の揺動アーム７８によって下降駆動され、ハンマ７６が下降すると共に、マガジンホルダが下降して綴り台９９上の紙束に下端を圧接させる。
【００３０】
第１及び第２の各駆動ギア８５ａ，８５ｂが更に回転して、図４に示す角度位置に揺動アーム７８を揺動させると、紙束には両側の打ち込みバネ９１の下方向への引っ張り付勢による大きな打ち込み力がハンマ７６に加えられ、ハンマ７６は下降動作によりステープルマガジン内の１本のステープルが押し出されて紙束に打ち込まれる。支持軸８８の両側を下方向に付勢する一対の打ち込みバネ９１は、紙束の厚さに応じてステープルの打ち込み時の支持軸８８の上下位置を変化させ、紙束の厚さによってハンマ７６の打ち込み力が変化しないようにする。
【００３１】
ステープルの紙束への打ち込み動作がなされた直後に第１及び第２の各駆動ギア８５ａ，８５ｂのカム溝８６に嵌め合わされたクリンチアーム７９のコロ９６はカム溝８６の形成半径が大きくなる位置に入るので、クリンチアーム７９は揺動して、その先端の押圧片９４により一対の可動クリンチ板１０３ａ，１０３ｂを回動させるので、紙束を貫通してクリンチャ１００内に挿入されたステープルの一対の脚部は折り曲げられ、ステープルにより紙束は綴じ合わされる。このとき、折り曲げられたステープルの一対の脚部は、前述したようなクリンチャ１００の構成により互いに異なる方向に折り曲げられるので、一対の脚部は重なり合うことがない。
【００３２】
紙束にステープルを打ち込んで綴じ合わせた後、第１及び第２の各駆動ギア８５ａ，８５ｂは更に回転するので、駆動ピン８０により揺動アーム７８はその先端が上昇方向に転じてハンマ７６は上昇駆動され、カム溝８６に嵌まり込むコロ９６がカム溝８６の形成半径が小さくなる位置に入ることにより、クリンチアーム７９はその押圧片９４が下降する方向に揺動する。第１及び第２の各駆動ギア８５ａ，８５ｂが１回転して、図２に示す角度位置に戻ったとき、第１の駆動ギア８５ａのスイッチ駆動凸部９８により停止スイッチ１２０が作動し、作動情報は制御回路に入力されるので、モータ７５の回転は停止され、紙束に対する綴じ合わせ動作が終了する。
【００３３】
上記構成になる電動ステープラは、紙束を綴り台９９上に挿入するだけで自動動作するが、ステープルの噛み込みなどの異常状態が発生したときには、制御回路は表示灯１１７を点灯状態を変化させて異常発生を表示する。表示灯１１７は起動スイッチレバー１２４が紙束に押されて電動駆動機構１０１が動作している間には連続点灯して、動作中を表示する。また、ステープルマガジン１１４に収容されたステープル１１３がなくなったときにも表示灯１１７の点灯状態によって表示されるので、ユーザはイジェクトボタン１１８を押してステープル１１３の補充を行うことができる。ステープル１１３の補充は、前記イジェクトボタン１１８を下方に押圧すると、マガジンホルダ１１５によるステープルマガジン１１４の保持が解放され、バネ付勢によってステープルマガジン１１４は前方に飛び出るので、開放部からステープル１１３を補充する。ステープル１１３を補充した後、ステープルマガジン１１４は先端の押し込みノブ１１６でマガジンホルダ１１５内に押し込むと、マガジンホルダ１１５内に保持される。
【００３４】
尚、上記電動ステープラにおけるクリンチャ１００は、手動操作によるステープラに適用することもでき、ステープルの一対の脚部を重なり合わないように折り曲げるのに有効なものとなる。
【００３５】
【発明の効果】
以上の説明の通り本発明による電動ステープラは、脚部が長くサイズの大きなステープルに対しても大きな加圧力を均等加圧することができるので、綴じ合わせる紙に枚数が多い場合にも対応させることができる。また、ステープルの脚部を折り曲げて紙束を綴じ合わせるクリンチ機構は、クリンチ作用が劣化し難い構造になっているので、加圧力が大きな打ち込み機構にも対応させることができ、紙束を貫通したステープルの一対の脚部を互いに重なり合わないように異なる方向に折り曲げることができるので、ステープルの折り曲げ部分によって書類の厚さが増加することが抑制できる。
【図面の簡単な説明】
【図１】実施形態に係る電動ステープラの内部構成を示す（ａ）は平面図、（ｂ）は側面図。
【図２】電動駆動機構の始動時状態の構成を示す（ａ）は平面図、（ｂ）は側面図、（ｃ）は正面図。
【図３】電動駆動機構の駆動途中の構成を示す（ａ）は平面図、（ｂ）は側面図、（ｃ）は正面図。
【図４】電動駆動機構の打ち込み状態の構成を示す（ａ）は平面図、（ｂ）は側面図、（ｃ）は正面図。
【図５】マガジンホルダの構成を示す平面図及び側面図。
【図６】駆動ギアの構成を示す（ａ）は表側平面図、（ｂ）は側面図、（ｃ）は裏側平面図。
【図７】クリンチアームの構成を示す斜視図。
【図８】クリンチャの構成を示す（ａ）は平面図、（ｂ）は正面図、（ｃ）は側面図。
【図９】クリンチャの構成を示す分解平面図。
【図１０】仕切板の構成を示す（ａ）は平面図、（ｂ）は側面図。
【図１１】ステープルの一対の脚部を折り曲げた状態を示す平面図。
【図１２】従来技術に係る電動ステープラの構成を示す断面図。
【図１３】従来技術に係るクリンチ機構の構成を示す（ａ）は斜視図、（ｂ）は平面図。
【符号の説明】
７１　支持スタンド
７２　打ち込み機構
７３　クリンチ機構
７５　モータ
７６　ハンマ
７８　揺動アーム
７９　クリンチアーム
８０　駆動ピン
８５ａ，８５ｂ　駆動ギア
８６　カム溝
８８　支持軸
９１　打ち込みバネ
１００　クリンチャ
１０１　電動駆動機構
１０３ａ，１０３ｂ　可動クリンチ板
１０４ａ，１０４ｂ　傾斜形成片
１０５、１０６　クリンチャベース
１０７　仕切板
１１４　ステープルマガジン
１１５　マガジンホルダ
【図１】
2004122247.tif 000003
【図２】
2004122247.tif 000004
【図３】
2004122247.tif 000005
【図４】
2004122247.tif 000006
【図５】
2004122247.tif 000007
【図６】
2004122247.tif 000008
【図７】
2004122247.tif 000009
【図８】
2004122247.tif 000010
【図９】
2004122247.tif 000011
【図１０】
2004122247.tif 000012
【図１１】
2004122247.tif 000013
【図１２】
2004122247.tif 000014
【図１３】
2004122247.tif 000015